(57)【要約】      （修正有）【課題】ランプ及び安定器の入れ替えが非常に簡便となるゼノンランプを内装した照明装置を提供する。【解決手段】既存の照明装置にゼノンランプ４０及び安定器５０を設置することにより、消費電力が非常に低くてランプの入れ替え周期が飛躍的に延長されたゼノンランプを内装した照明装置にするものである。少ない消費電力でもっと明るい光を放出するようになるので、エネルギーを節減することができ、一双のゼノンランプに一つの安定器を構成するので、寿命が延長され、漏電事故からより安全となる。【選択図】図１
2011076783.tif 000002
【特許請求の範囲】
【請求項１】
照明装置に於いて、
ゼノンランプ連結部に挿入される一双のゼノンランプ４０と、
前記ゼノンランプと高圧シリコン線を連結し、連結部位を保護するためのゼノンランプ連結部４１と、
点灯のための初期起動電圧に耐えるようにシリコン材質で形成され、安定器５０の出力線３２ｂとゼノンランプ４０の入力線３２ａとで構成される高圧シリコン線３２と、
前記安定器５０の出力線３２ｂとゼノンランプ４０の入力線３２ａとを連結する高圧防水コネクタ３３と、
前記出力線３２ｂに連結され、起動電圧を受けて前記ゼノンランプ４０に前記起動電圧を認可する安定器５０とを含んで構成されることを特徴とするゼノンランプを内装した照明装置。
【請求項２】
照明装置に於いて、
ゼノンランプ連結部に挿入される少なくとも二双のゼノンランプ４０と、
前記ゼノンランプと高圧シリコン線とを連結し、連結部位を保護するために一双のゼノンランプに一つずつ形成されるゼノンランプ連結部４１と、
点灯のための初期起動電圧に耐えるようにシリコン材質で形成され、安定器の出力線とゼノンランプの入力線とで構成される高圧シリコン線３２と、
前記安定器の出力線とゼノンランプの入力線とを連結する高圧防水コネクタ３３と、
前記出力線に連結され、起動電圧を受けて前記ゼノンランプに前記起動電圧を認可する安定器５０と、
前記複数のゼノンランプ連結部と結合して前記ゼノンランプ連結部を保護するための保護ホルダー３１とを含んで構成されることを特徴とするゼノンランプを内装した照明装置。
【請求項３】
前記安定器５０には二つのイグナイターが形成され、一双のゼノンランプのいずれか一つのゼノンランプと他の一つのゼノンランプとを繰り返し的に点火することを特徴とする請求項１または２のいずれか一項に記載のゼノンランプを内装した照明装置。
【請求項４】
前記安定器５０は、ゼノンランプ４０動作の安定のために一双のゼノンランプごとにそれぞれ設置することを特徴とする請求項１または２のいずれか一項に記載のゼノンランプを内装した照明装置。
【請求項５】
前記ゼノンランプ４０は、ジャケット内部に着色剤をコーティングするか、または着色されたガラス管をジャケットの内部に挿入して願う色相の光を放出するように構成されることを特徴とする請求項１または２のいずれか一項に記載のゼノンランプを内装した照明装置。
【請求項６】
前記ゼノンランプ４０は、内部に水銀が添加されない無水銀ゼノンランプを使うことを特徴とする請求項１または２のいずれか一項に記載のゼノンランプを内装した照明装置。
【請求項７】
二双のゼノンランプの場合、前記ゼノンランプ連結部は円柱形態で形成され、その内部に２等分する隔壁が形成されているが、それぞれのゼノンランプ連結部にはゼノンランプ挿入口が両側に形成されることを特徴とする請求項２に記載のゼノンランプを内装した照明装置。
【請求項８】
三双のゼノンランプの場合、前記ゼノンランプ連結部は円柱形態で形成され、その内部に３等分する隔壁が形成されているが、それぞれのゼノンランプ連結部にはゼノンランプ挿入口が両側に形成されることを特徴とする請求項２に記載のゼノンランプを内装した照明装置。
【発明の詳細な説明】
【技術分野】
【０００１】
本発明は、ゼノンランプを内装した照明装置に関するものであり、より詳細には、既存照明装置にゼノンランプ及び安定器を設置して消費電力が非常に低くてランプの入れ替え周期が飛躍的に延長されたゼノンランプを内装した照明装置に関するものである。
【背景技術】
【０００２】
従来の室内あるいは室外に設置構成される照明装置の場合、光度がすぐれたハロゲンランプや水銀ランプを主に光源で使用しておるが、これらより電力消費が少なく、長い寿命を持ちながらも、すぐれた光度を持つ光源に対する研究が活発に進行中である。
【０００３】
特に、高光度ランプの場合、駆動のために高電圧が必要なので安定器を利用するようになり、ランプと安定器の寿命に限界があるので管理及び整備に多い労力と費用が必要となっている。よって、ランプ及び安定器の整備周期が長いながらも整備作業が容易い照明装置の開発が切実である。
【発明の概要】
【発明が解決しようとする課題】
【０００４】
本発明は、前記のような従来技術の問題点に鑑みたものであって、本発明の目的は、複数のランプが構成されたゼノンランプを適用して少ない消費電力でより明るい光を放出するように構成された高效率のゼノンランプを適用した照明装置の提供にある。
【０００５】
本発明の他の目的は、ゼノンランプ及び安定器を構成するが、一双のゼノンランプに一つの安定器を設置構成して、より安全でランプ及び安定器の入れ替えが簡便であり、易しく設置して適用することができるゼノンランプを適用した照明装置の提供にある。
【０００６】
本発明のさらに他の目的は、一つの保護ホルダーに複数のゼノンランプが設置されて高出力の明るさ提供が可能であり、一双のゼノンランプの中で、一つのランプ一つが損傷されても逆点化機能を提供する安定器が他のゼノンランプを連続作動するようにしてランプの入れ替え周期が飛躍的に延長されたゼノンランプを適用した照明装置の提供にある。
【課題を解決するための手段】
【０００７】
前記の目的等を果たすための本発明によるゼノンランプを内装した照明装置は、照明装置に於いて、ゼノンランプ連結部に挿入される一双のゼノンランプ４０と、前記ゼノンランプと高圧シリコン線を連結し、連結部位を保護するためのゼノンランプ連結部４１と、点灯のための初期起動電圧に耐えるようにシリコン材質で形成され、安定器の出力線とゼノンランプの入力線とで構成される高圧シリコン線３２と、前記安定器の出力線とゼノンランプの入力線とを連結する高圧防水コネクタ３３と、前記出力線に連結され、起動電圧を受けて前記ゼノンランプに前記起動電圧を認可する安定器５０とを含んで構成される。
【発明の効果】
【０００８】
上述の本発明によるゼノンランプを内装した照明装置を使うことによって、少ない消費電力でもっと明るい光を放出するようになるので、エネルギーを節減することができ、一双のゼノンランプに一つの安定器を構成するので、寿命が延長され、漏電事故からより安全であり、ランプ及び安定器の入れ替えが非常に簡便になる。
【０００９】
また、一つの保護ホルダーに複数のゼノンランプが設置されるので、高出力の明るさ提供が可能であり、一双のゼノンランプの中で、一つのランプが損傷されても逆点化機能の安定器が作動することによって、ランプの入れ替え周期が飛躍的に延長されるので、維持管理のための努力及び費用を節減することができる。
【００１０】
また、水銀を添加しない親環境無水銀ゼノンランプを使う場合、環境汚染を減らすことができる効果もある。
【図面の簡単な説明】
【００１１】
【図１】本発明の一実施例によるゼノンランプを内装した照明装置を図示した構造図である。
【図２】本発明の他の実施例によるゼノンランプを内装した照明装置の保護ホルダー部分を図示した構造図である。
【図３】本発明の他の実施例によるゼノンランプを内装した照明装置を図示した構造図である。
【図４】本発明の一実施例によるゼノンランプを内装した照明装置のゼノンランプ連結部を図示した斜視図である。
【図５】本発明の他の実施例によるゼノンランプを内装した照明装置のゼノンランプ連結部を図示した斜視図である。
【図６】本発明のまた他の実施例によるゼノンランプを内装した照明装置のゼノンランプ連結部を図示した斜視図である。
【発明を実施するための形態】
【００１２】
以下、本発明を実施例により具体的に説明する。但し、本発明はこれらの実施例により限定されるものではない。
【００１３】
図１は本発明の一実施例によるゼノンランプを内装した照明装置を図示した構造図である。
【００１４】
本発明の一実施例によるゼノンランプを内装した照明装置は、ゼノンランプ連結部４１に挿入される一双のゼノンランプ４０と  
前記ゼノンランプと高圧シリコン線３２を連結し、連結部位を保護するためのゼノンランプ連結部４１と
点灯のための初期起動電圧に耐えるようにシリコン材質で形成され、安定器５０の出力線３２ｂとゼノンランプ４０の入力線３２ａとで構成される高圧シリコン線３２と
前記安定器５０の出力線３２ｂとゼノンランプ４０の入力線３２ａとを連結する高圧防水コネクタ３３と
前記出力線３２ｂに連結され、起動電圧を受けて前記ゼノンランプ４０に前記起動電圧を認可する安定器５０とを含んで構成される。
【００１５】
前記ゼノンランプ４０は一双で構成され、前記ゼノンランプ連結部４１に挿入される。
【００１６】
前記ゼノンランプ連結部４１はゼノンランプ４０と高圧シリコン線３２とを連結し、連結部位を保護するようになる。
【００１７】
本発明のゼノンランプは高圧を使うので、前記図４に図示したように、ゼノンランプ連結部４１と高圧防水コネクタ３３を使う。
【００１８】
一双のゼノンランプ４０を挿入するために二つのゼノンランプ挿入口がゼノンランプ連結部４１に形成される。
【００１９】
前記高圧シリコン線３２は、点灯のための初期起動電圧に耐えるようにシリコン材質で形成され、安定器の出力線３２ｂとゼノンランプの入力線３２ａとで構成され、前記高圧防水コネクタ３３により安定器の出力線３２ｂとゼノンランプの入力線３２ａを連結するようになる。
【００２０】
また、前記安定器５０には二つのイグナイターが形成され、一双のゼノンランプのいずれか一つのゼノンランプと他の一つのゼノンランプとを繰り返し的に点火することを特徴とする。
【００２１】
また、前記安定器５０は、ゼノンランプ４０動作の安定のために一双のゼノンランプごとにそれぞれ設置することを特徴とする。
【００２２】
図２は本発明の他の実施例によるゼノンランプを内装した照明装置の保護ホルダー部分を図示した構造図である。
【００２３】
図３は本発明の他の実施例によるゼノンランプを内装した照明装置を図示した構造図である。
【００２４】
図２ないし図３に図示したように、他の実施例によるゼノンランプ連結部に挿入される少なくとも二双のゼノンランプ４０と
前記ゼノンランプ４０と高圧シリコン線３２とを連結し、連結部位を保護するために一双のゼノンランプ４０に一つずつ形成されるゼノンランプ連結部４１と
点灯のための初期起動電圧に耐えるようにシリコン材質で形成され、安定器５０の出力線３２ｂとゼノンランプ４０の入力線３２ａとで構成される高圧シリコン線３２と
前記安定器５０の出力線３２ｂとゼノンランプ４０の入力線３２ａとを連結する高圧防水コネクタ３３と
前記出力線３２ｂに連結され、起動電圧を受けて前記ゼノンランプ５０に起動電圧を認可する安定器５０と
前記複数のゼノンランプ連結部と結合してゼノンランプ連結部４１を保護するための保護ホルダー３１とを含んで構成される。
【００２５】
また、一つのゼノンランプ４０だけが本発明で利用されることもできるが、必要な場合、多数のゼノンランプ４０を利用することもできる。
【００２６】
この時、二双のゼノンランプを構成する場合、図５に図示したように、前記ゼノンランプ連結部は円柱の形態で形成され、その内部に２等分する隔壁４１ｂが形成されているが、それぞれのゼノンランプ連結部にはゼノンランプ挿入口４１ａが両側に形成されることを特徴とする。
【００２７】
前記ゼノンランプ連結部は二つが必要となり、二つのゼノンランプ連結部を保護するために保護ホルダーを外部でくるむようになる。
【００２８】
一方、三双のゼノンランプを構成する場合は、図６に図示したように、前記ゼノンランプ連結部は円柱形態で形成され、その内部に３等分する隔壁４１ｂが形成されているが、それぞれのゼノンランプ連結部にはゼノンランプ挿入口４１ａが両側に形成されることを特徴とする。
【００２９】
一般的に、前記ゼノンランプ４０は、内部にゼノンガスが挿入されて放電が起きるチューブと、これを外部で保護する管形象のジャケットとで構成される。
【００３０】
ここで、前記チューブの内部には放電のためにメタルが挿入される。また、チューブに挿入される前記メタルの成分によって、発光される光の色相変化が可能である。
【００３１】
しかし、変化させることができる色相の数が少ないので、前記ジャケットの内部に着色剤をコーティングするか、または、着色されたガラス管をジャケットの内部に挿入することによって、所望の色相の光を出すことができる。また、設置場所によって相応しい色相を持つ光を放出するようにすることによって、審美感を高めることができる。
【００３２】
しかし、本発明では前記チューブ内部に水銀が全然添加されない無水銀ゼノンランプを使う。よって、親環境無水銀ゼノンランプを内装した照明装置を提供することができる。
【００３３】
また、本発明のゼノンランプが内装した照明装置は室内場所だけでなく、室外場所でも使うことができる。
【００３４】
したがって、様々な外形を持つ照明装置に使用することができる。
【００３５】
前記のような構成を通じて少ない消費電力でもっと明るい光を放出するようになるので、エネルギーを節減することができるし、一双のゼノンランプに一つの安定器を構成するので寿命が延長され、漏電事故からより安全であり、ランプ及び安定器の入れ替えが非常に簡便になる。
【産業上の利用可能性】
【００３６】
本発明のゼノンランプを内装した照明装置は、高速道路、商業地区道路、住宅地区道路などに設置されて安全と保安または美観のために使われることができるし、産業用または家庭用で使われる各種室内外照明燈に適用することができる。
【００３７】
以上で説明したものは、本発明を実施するための一つの実施例に過ぎないものであり、本発明は前記一実施例に限定されずに、本発明の特許の請求範囲で請求するように本発明の要旨を抜け出すことがなく、当該発明が属する分野で通常の知識を有した者ならば誰でも多様な変更実施が可能な範囲まで本発明の技術的精神があるということができる。
【図１】
2011076783.tif 000003
【図２】
2011076783.tif 000004
【図３】
2011076783.tif 000005
【図４】
2011076783.tif 000006
【図５】
2011076783.tif 000007
【図６】
2011076783.tif 000008